(57)【要約】      （修正有）【課題】ユニットバス内部の天井及び壁を自動的に洗浄する。【解決手段】ユニットバスの天井６に設けた穴からホース２が垂れ下げてあり、ホース２は、洗浄水を供給する給水源４に接続されている。ホース２の先端は旋回体１に接続されている。旋回体１は、独立気泡の合成樹脂発泡体製であり、花びら状である。ホース２に給水源４の水をポンプＰで圧力を２ＭＰａ以上に上げて吐出させると、ホース２が不規則に運動し、複数の翼片１０の間には空間があるため空間を通る空気流が生じ、各翼片に不均一な空気力が作用し、旋回体１が不規則にホース２を中心に旋回運動をすると共に、ホース２をＵ字状に折り曲げるので、噴出孔３が天井６の方向を向き、噴出水は天井６に向かい、天井を洗浄する。【選択図】図１
2010213975.tif 000002
【特許請求の範囲】
【請求項１】
ユニットバスの天井から給水源に連結してあるホースが垂れ下げてあり、このホースの先端に複数の翼片を有する旋回体が設けてあると共に、旋回体にはホースに連通する水の噴出孔が設けてあるユニットバス洗浄装置。
【請求項２】
請求項１において、ホースの長さが調整可能であるユニットバス洗浄装置。
【請求項３】
請求項２において、ホースがユニットバスの天井裏側に設けたホース巻取り装置によってホースの長さを調整するユニットバス洗浄装置。
【請求項４】
請求項１において、旋回体が円盤に切り込みを設けた花びら状であるユニットバス洗浄装置。
【請求項５】
請求項１〜４のいずれかにおいて、ホースがシリコーンホースであってＨＳ硬度が５０〜６０であるユニットバス洗浄装置。
【請求項６】
請求項１〜５のいずれかにおいて、給水源からの水の圧力を上昇させるポンプが設けてあるユニットバス洗浄装置。
【請求項７】
請求項１〜６において、給水源が風呂の残り湯であり、給水管には抗菌剤供給手段が設けてあるユニットバス洗浄装置。
【発明の詳細な説明】
【技術分野】
【０００１】
本発明は、ユニットバスの天井、壁、及びバスタブの側壁面を自動的に洗浄または抗菌処理する洗浄装置に関する。
【背景技術】
【０００２】
ユニットバスは、マンション等の集合住宅に限らず戸建住宅においても広く採用されているが、ユニットバスの天井や壁パネルを含め全体を自動的に洗浄することまではおこなわれてなかった。
特許文献１（特開２００４−３２１２１９号公報）には、ユニットバスの内部の洗浄装置として、ノズルの噴射角度を調整可能に構成したものが開示されているが、洗浄装置を手で保持し、ノズルから水または酸性電解水等を噴出するものであって人手によって洗浄しなければならなかった。
【先行技術文献】
【特許文献】
【０００３】
特開２００４−３２１２１９号公報
【発明の概要】
【発明が解決しようとする課題】
【０００４】
一般に、バスタブは使用のたびに洗浄されるが、ユニットバスの内部の天井、壁、床、バスタブの外側壁面の清掃頻度は高くなく、清掃が不十分であり、パネルの目地やバスタブと床面の角にカビがでたり、ぬめりが生じていた。壁パネルや床面は容易に清掃することが可能であるが、天井には手が届かず、ユニットバス内は足場が不安定であることもあり、日常的には洗浄はされていなかった。
近時のユニットバスの部材に抗菌処理が施されており、使用開始当初はカビの発生が抑止されているが、時間の経過とともに抗菌作用が低下し、カビが発生しやすくなってくることが認められる。
【０００５】
特許文献１に開示された洗浄装置は、人間が洗浄装置を持って必要箇所に洗浄水を吹きかけなくてはならなかった。
本発明は、ユニットバスの天井、壁パネル、床面及びバスタブの外側壁を簡単にかつ、自動的に洗浄することができるとともに、除菌・抗菌作用のある洗浄水をバスユニット内部全体に散布できるようにするものである。
【課題を解決するための手段】
【０００６】
ユニットバスの天井から給水源に連結してあるホースが垂れ下げてあり、このホースの先端に複数の翼片を有する旋回体が設けてあり、旋回体にはホースから供給される水の噴出孔が設けてあるユニットバス洗浄装置である。
洗浄剤等を含む水が噴出孔から噴出されると、噴出の反動によってホースが不規則な運動を開始する。ホースの先端に旋回体が固定してあり、旋回体も同様に不規則に運動する。旋回体の翼片の間には空間があるため空気流が生じて翼片に作用するため、旋回体が不規則にホースを中心に揺動・旋回運動をすると共に、ホースをＵ字状に折り曲げるので噴出孔が天井の方向を向き、噴出水は天井に向かって噴出されて天井に衝突する。ホースは揺動・旋回とＵ字状の折り曲げが組み合わされた不規則運動を水が噴出孔から噴出されている間継続するため、噴出水はユニットバスの内部全体に対して噴出され、ユニットバスの内部が自動的に洗浄されることになる。
【０００７】
ホースに供給される洗浄水は電磁ポンプなどで２ＭＰａ以上の圧力としたものである。また、ホースは、先端からの洗浄水の吐出圧によってユニットバスの天井や壁に吐出口が向くように不規則運動を可能とするため、ある程度の柔軟性が必要であり、ＨＳ硬度５０〜６０のシリコーンホースが好ましい。シリコーンゴムは、幅広い温度範囲で使用でき、また、各種薬品に対して耐性があるので好ましい。
旋回体は、供給水を２ＭＰａ以上の圧力とすることによってホースが不規則運動するのを助長するためのもので、複数の翼片を有することが必要であり、単純な形状の円盤や四角形などの翼片を有しないものは、不規則運動を助長せず、旋回するだけになってしまうので好ましくない。翼片の数は、ホースの不規則運動を助長するためには少なくとも４枚が必要であり、翼片の形状は円形、楕円、長方形、ダイヤなど特に限定されず、翼片と翼片の間に空間が存在し、旋回体の動きによって空気流を生じさせることが必要であり、翼片６枚の花びら状のものがデザイン的にも機能的にも好ましい。
【０００８】
旋回体の重量が大きいと、不規則運動が助長されず停止してしまうので、旋回体は軽量であって空気力を受ける面積を有することが必要であり、独立気泡の発泡樹脂で製造するのが好ましい。独立気泡の発泡樹脂は、噴射された水を吸収することがなく、重量が増すことがないので好ましい。
ホースの天井からの垂れ下げる長さが短いと不規則運動が起こらず、ユニットバス内部全体に洗浄液が散布されないので、天井からのホースの垂れ下がり長さを調節できることが、最適な不規則運動を得るためには必要である。ホースの不規則運動は、洗浄水の圧力、旋回体の重量、ホースの柔軟性（硬度）及びホースの長さによって変化するので、最適な組み合わせ条件を実験等によって求める。
【発明の効果】
【０００９】
本発明によれば、洗浄装置を保持してユニットバス内に清掃のために入ることなくユニットバスの内部全体を自動的に洗浄することができ、また、洗浄水に銀イオンを含有させたり、電解水、オゾン水を使用することによりカビの除去をするとともにユニットバス内部を殺菌し、カビの発生を防止することができる。
【図面の簡単な説明】
【００１０】
【図１】本発明の洗浄装置の正面図。
【図２】本発明の洗浄装置の旋回体の平面図。
【図３】本発明の洗浄装置の旋回体の他の実施例の平面図。
【図４】本発明のホース繰り出し装置を含む実施例の斜視図。
【図５】本発明のホース繰り出し装置を含む実施例の正面図。
【発明を実施するための形態】
【００１１】
本発明の基本的な洗浄装置を図に示した実施例に基づいて説明する。
図１に示すように、ユニットバスの天井６からホース２が垂れ下げてある。ホース２は天井６に設けた穴から天井裏に導かれ、洗浄水を供給する給水源４に接続されており、ホース２は、図２に示す旋回体１に接続されている。旋回体１は、独立気泡の合成樹脂発泡体製であり、複数の長円形の翼片１０からなり花びら状である。旋回体１の中心部には、直径３ｍｍの噴出孔３が形成してあり、ホース２の取付具３２が設けてある治具３０が取り付けてある。治具３０は、合成樹脂製の円板の中央に直径３ｍｍ程度の噴出孔３が形成してあり、噴出孔３にはホース取付具３２が一体的に連接してある。治具３０の周縁部には治具を旋回体１に取り付けるための突片３１が直径の対向位置に設けてあり、突片３１の先端には抜け止めが設けてある。この治具３０の突片３１を旋回体１に設けたスリット（図示しない）に差し込んで固定する。
【００１２】
ホース２は、シリコーン製ホースで内径７ｍｍであり、ホース厚１．５ｍｍである。ホース２は適度な柔軟性を有しているものが好ましく、ＨＳ硬度が５０〜６０のものであり、旋回体１に固定された治具３０のホース取付具３２に差込まれて旋回体１と連結されている。
【００１３】
ホース２は、天井裏に配備したホース巻取り装置（図示しない）に巻きつけられており、巻取り装置でホース２を巻き取ったり繰り出したりして天井からのホース２の吊り下げ長さを調整できるようにしてある。
【００１４】
ホース２を天井裏に配管した水道管に接続し、給水源４とし、この水道水に洗浄剤または抗菌剤が添加されるようにしてあり、供給される洗浄水を２Ｍｐａ以上の水圧するための圧送ポンプＰが接続してある。ホース２を天井から８０ｃｍ〜１ｍの長さに繰り出して吊り下げ、洗浄水を噴出孔３から噴出させると、噴出孔３から水が噴出されるときの反動でホース２が不規則運動を開始する。ホース２の先端に取り付けてある旋回体１がホースと同様に不規則運動をし、複数の翼片１０の間には空間があるため空間を通る空気流が生じ、各翼片に不均一な空気力が作用し、旋回体１が不規則にホース２を中心に旋回運動をすると共に、ホース２をＵ字状に折り曲げるので、噴出孔３が天井６の方向を向き、噴出水は天井６に向かい、天井を洗浄することになる。ホース２は旋回運動とＵ字状の折り曲げ運動が組み合わされた運動を洗浄水が噴出孔３から噴出されている間継続するため、洗浄水はユニットバスの内部全体に対して散水され、ユニットバスの内部が洗浄されることになる。
【００１５】
給水源４からの給水管の途中に、抗菌剤供給手段５を接続し、必要に応じて抗菌剤が洗浄水に添加されるようにすれば、ユニットバス内部全体に抗菌剤が散布されることになる。
抗菌剤を供給する手段としては、特許第３７１４９４５号に開示されている金属イオン（銀、銅、または亜鉛）溶出ユニットを使用することもできる。洗浄水としては酸性イオン水、またはオゾン水を使用することによって殺菌がおこなわれ、バスユニット内を清潔に維持することができると共に、湯船にも抗菌剤が散布されるので、残り湯を消毒することができる。
また、給水源における水は、水道水のみでなくポンプを使用してバスタブの残り湯も利用することが可能である。
また、ホースを２本以上天井から垂れ下がるようにして洗浄水がユニットバス内部に均一に満遍なく散布されるようにすることもできる。
【００１６】
図３に示す例は、旋回体１の他の実施例であり、旋回体１に設けた噴出孔３の前面に噴出水流の噴出方向を偏寄させるための突起３２を設けたものであり、噴出孔から水流が真っ直ぐに飛散せずに、偏った方向に噴出させることによって旋回体１の旋回運動及びＵ字折り曲げ運動が確実に起きるようにしたものである。
【００１７】
図４に示す例は、ホース２を天井裏に配備したホース繰り出し装置７によってホース２を自動的に天井６から降下できるようにしたものである。天井６の裏側に長さ７０ｃｍ程度の台板７０が設置してあり、台板７０の一端部にはホース２をガイドするローラ７１が固定してあり、台板７０の他端には、巻取ローラ７２が固定してある。台板７０のローラ７１側の端部が、天井６に設けたホース２を通す穴の近くになるように固定してある。
【００１８】
巻取ローラ７２はテグス等の線条体７３が巻きつけてあり、線条体７３の自由端部は、ホース２に固定したストッパ２１に固定してある。巻取ローラ７２は、スプリングによって巻取方向に付勢してあり、ホース２を下側に引っ張って引き出すと巻取ローラから線条体７３が繰り出され、ホース２は天井から降下する。ホース２の引き出しを停止すると、巻取ローラ７２はその位置で停止し、ホース２が天井から引き出された状態となる。引き出し量を調整することによってホース２の天井６からの垂れ下がる長さを変更することができる。
停止した状態のホース２を軽く引くと、巻取ローラ７３は巻き取りを開始するので、巻取ローラ７２に線条体７３が巻き取られ、ストッパ２１を引くのでホース２は天井６の裏側に引き込まれる。この機構は、ロールスクリーンに一般的に採用されているものである。
【符号の説明】
【００１９】
１    旋回体
１０  翼片
２    ホース
３    噴出孔
４    給水源
５    抗菌剤
６    天井
７    ホース繰り出し装置
【図１】
2010213975.tif 000003
【図２】
2010213975.tif 000004
【図３】
2010213975.tif 000005
【図４】
2010213975.tif 000006
【図５】
2010213975.tif 000007